(57)【要約】【課題】画像データの表示が行われない画像表示領域に対する光源の光の供給を抑制し無駄に電力を消費することのない液晶表示装置を提供する。【解決手段】画像データを表示する第１の表示領域と第２の表示領域を有する表示部と、第１の表示領域に光を供給する第１の光源と、第２の表示領域に光を供給する第２の光源と、画像が表示された表示領域に対応して第１の光源、第２の光源の点消灯を制御する点灯制御部とを備えることにより画像データの表示が行われない画像表示領域に対する光源の光の供給を抑制できる。したがって無駄に電力を消費することがない。【選択図】図１
2008158294.tif 000002
【特許請求の範囲】
【請求項１】
画像データを表示する第１の表示領域と、この第１の表示領域に含まれ前記第１の表示領域よりも横幅または縦幅が縮小された第２の表示領域とを有する表示部と、
前記第１の表示領域に対して光を供給する第１の光源と、
前記第２の表示領域に対して光を供給する第２の光源と、
前記第１の表示領域または前記第２の表示領域に表示される画像データを受信する画像データ受信部と、
前記画像データ受信部によって受信された画像データに基づいて、前記第１の表示領域または前記第２の表示領域に画像を表示させる画像表示制御部と、
前記画像表示制御部によって前記第１の表示領域または前記第２の表示領域に表示される画像の横幅と縦幅の比を取得する画像信号処理部と、
前記画像信号処理部によって取得された画像の横幅と縦幅の比に対応して、前記第１の光源および第２の光源それぞれの点消灯を制御する点灯制御部と
を具備したことを特徴とする液晶表示装置。
【請求項２】
前記第１の表示領域の横幅と縦幅の比が１６：９または１６：１０で有ることを特徴とする請求項１記載の液晶表示装置。
【請求項３】
前記第２の表示領域の横幅と縦幅の比が４：３で有ることを特徴とする請求項１記載の液晶表示装置。
【請求項４】
前記第１の光源または前記第２の光源が一つまたは複数の発光素子で構成されていることを特徴とする請求項１記載の映像表示装置。
【請求項５】
前記発光素子が、ＬＥＤ(Light Emitting Diode)、ＥＬ（Electro Luminescence）、ＬＤ(Laser Diode)のいずれかであることを特徴とする請求項４記載の液晶表示装置。
【発明の詳細な説明】
【技術分野】
【０００１】
本発明は、液晶パネルを用いた液晶表示装置に関する。
【背景技術】
【０００２】
従来、液晶パネルを用いた液晶表示装置では、液晶パネルの裏面側から液晶パネルの画像表示領域へ光を供給するための光源を設けたものが知られている。このような光源では水平方向に延びた複数の導光板を縦に配置することで光源の光を万遍なく画像表示領域へ供給することができる（例えば、特許文献１参照）。
【特許文献１】特開２００１−２１０１２２号公報
【発明の開示】
【発明が解決しようとする課題】
【０００３】
しかしながら、上記の技術では導光板が水平方向に延びているため、画像の表示が行われない領域に対しても光源の光の供給が行われてしまう場合もあった。画像の表示が行われない領域に対する光の供給は電力を無駄に消費してしまう畏れがある。
【０００４】
本発明は、かかる従来の問題を解消すべくなされたもので、画像の表示が行われない画像表示領域に対する光源の光の供給を抑制し無駄に電力を消費することのない液晶表示装置を提供することを目的とする。
【課題を解決するための手段】
【０００５】
上記の目的を達成するために本発明の液晶表示装置は、画像データを表示する第１の表示領域と、この第１の表示領域に含まれ前記第１の表示領域よりも横幅または縦幅が縮小された第２の表示領域とを有する表示部と、前記第１の表示領域に対して光を供給する第１の光源と、前記第２の表示領域に対して光を供給する第２の光源と、前記第１の表示領域または前記第２の表示領域に表示される画像データを受信する画像データ受信部と、前記画像データ受信部によって受信された画像データに基づいて、前記第１の表示領域または前記第２の表示領域に画像を表示させる画像表示制御部と、前記画像表示制御部によって前記第１の表示領域または前記第２の表示領域に表示される画像の横幅と縦幅の比を取得する画像信号処理部と、前記画像信号処理部によって取得された画像の横幅と縦幅の比に対応して、前記第１の光源および第２の光源それぞれの点消灯を制御する点灯制御部とを具備したことを特徴とする。
【発明の効果】
【０００６】
本発明の液晶表示装置は、光源の点消灯を画像の表示が行われる表示領域と対応させることで、画像の表示が行われない表示領域に対する光源の光の供給を抑制し無駄に電力を消費することがない。
【発明を実施するための最良の形態】
【０００７】
以下図面を参照して、本発明の一形態にかかる実施の形態を詳細に説明する。図１は、本発明の実施の一形態にかかる液晶表示装置１の構成を示すブロック図である。
同図に示すように、液晶表示装置１は、画像データ受信部１０、画像データ処理部２０、画像表示制御部３０、表示部４０、第１および第２の光源としてのバックライト５０を備える。
【０００８】
画像データ受信部１０は例えば、屋外に設置されたアンテナ（図示せず）と接続され
ており、このアンテナを介して画像データを受信する。例えば、地上アナログ波、地上デジタル波、衛星放送用電波などに乗せられた種々の画像データが受信可能である。また、画像データ受信部１０は、図示はしないが種々の画像再生機器（例えば、ＨＤ−ＤＶＤプレーヤや同レコーダ、ＤＶＤプレーヤや同レコーダなど）とも接続することができる。この場合には、画像データ受信部１０は画像再生機器が読み出した画像データを受信する。
【０００９】
画像データ受信部１０は受信した画像データを画像表示制御部３０および画像データ処理部２０に出力する。画像データ受信部１０で受信される画像データは４：３、１６：９など種々の縦横比で構成されている。縦横比とは画像データの横幅と縦幅の比である。
画像データには、この画像データがどの縦横比で構成されているかを示す画像縦横比情報が付加されている。
画像表示制御部３０は、画像データ受信部１０から出力された画像データを受けて表示部４０に画像を表示させる。
【００１０】
表示部４０は、液晶パネル４３、ゲートドライバ４１、ソースドライバ４２から主に構成されている。
液晶パネル４３は第１の表示領域である表示領域４３１と、この表示領域４３１に含まれる第２の表示領域である表示領域４３２を有している。表示領域４３１の縦横比は１６：９である。表示領域４３１には１６：９で構成された画像が表示される。
【００１１】
表示領域４３２の縦横比は４：３である。表示領域４３２には４：３で構成された画像が表示される。液晶パネル４３は、特別図示をしないが２枚のガラスの間に液晶材料をはさみこのガラス上に走査線とデータ線を格子状に配置して構成される。走査線とデータ線はそれぞれ液晶パネル４３端に配置したゲートドライバ４１およびソースドライバ４２の駆動によって制御される。ゲートドライバ４１は走査線にパルス状の電圧波形を順次出力する機能を有する。
【００１２】
ソースドライバ４２はゲートドライバ４１によるパルス状の電圧波形の出力に対応して液晶に電圧を供給する。液晶パネル４３はこのように、ソースドライバ４２とゲートドライバ４１の駆動によって液晶に電圧を印加されることで画像を表示する。
画像データ処理部２０は、情報取得部２１と、光源制御部２２と、メモリ２３とから構成されている。情報取得部２１には画像データ受信部１０が出力した画像データが入力される。情報取得部２１は入力された画像データに付加されている画像縦横比情報を取得する画像信号処理部として機能する。
【００１３】
情報取得部２１は取得した画像縦横比情報を光源制御部２２へ出力する。
光源制御部２２は、メモリ２３に記憶されたバックライト５０の点消灯テーブルデータを読み出す。光源制御部２２は、情報取得部２１が出力した画像縦横比情報と対応するバックライト５０の点消灯テーブルデータに基づいて、バックライト５０を構成する複数の光源ユニット５１の点消灯を制御する。すなわち光源制御部２２は点灯制御部として機能する。
【００１４】
メモリ２３は、光源制御部２２が光源ユニット５１の制御を行う際に、光源制御部２２によって参照されるバックライト５０の点消灯テーブルデータを記憶している。バックライト５０の点消灯テーブルデータとはバックライト５０を構成する複数の光源ユニット５１を点灯または消灯するための情報である。
バックライト５０は複数の光源ユニット５１を縦に並べて配置したものを一つのグループとしそれを横に数列並べたものである。
【００１５】
バックライト５０は光源ユニット列５１ａ、５１ｂ、５１ｃ、５１ｄ、５１ｅ、５１ｆから構成されている。
バックライト５０は表示部４０の表示領域４３１または表示領域４３２に対して光源ユニット５１の光を供給する。すなわちバックライト５０は第１の光源および第２の光源として機能する。
【００１６】
バックライト５０は液晶パネル４３の裏側に設けられる。
バックライト５０と液晶パネル４３の間には図示はしないが一対の拡散板とこの拡散板に挟まれたプリズムシートが設けられる。拡散板は光源ユニットが供給した光を散乱、拡散させ、表示領域全体を均一な明るさにするためのものである。
プリズムシートは、バックライト５０から供給された光の輝度を向上させるためのものである。
【００１７】
光源ユニット５１は、ＲＥＤ（以下Ｒと称す。）、ＧＲＥＥＮ（以下Ｇと称す。）、ＢＬＵＥ（以下Ｂと称す。）で発光する複数のＬＥＤ（Light Emitting Diode）から構成されている。光源ユニット５１はＲＧＢのＬＥＤの色を混ぜて白色で発光することができる。光源ユニット５１に使用されるＬＥＤの構成は特に限定されず、例えば一つのＲＬＥＤ、二つのＧＬＥＤ、一つのＢＬＥＤを一組としたものや、二つのＲＬＥＤ、三つのＧＬＥＤ、一つのＢＬＥＤを一組としたものなどである。
【００１８】
また使用するＬＥＤもＲＧＢの３色に限定されることなく白色のＬＥＤなど種々のＬＥＤを光源とすることができる。
なお、光源ユニット５１を構成する光源はＬＥＤに限定されることなく種々の発光素子を使用することができる。この発光素子は例えば、有機ＥＬ（Electro Luminescence）、や無機ＥＬ、レーザダイオード(Laser Diode)などである。
【００１９】
次に図２を用いて、メモリ２３に記憶されているバックライト５０の点消灯テーブルデータについて説明する。すなわち図２はバックライト５０の点消灯テーブルデータを示す概念図である。
バックライト５０の点消灯テーブルデータは光源ユニット列情報と縦横比情報とを有している。光源ユニット列情報はバックライト５０を構成する光源ユニット列の構成に対応して、５１ａ、５１ｂ、５１ｃ、５１ｄ、５１ｅ、５１ｆである。
【００２０】
光源ユニット列の点消灯について説明する。縦横比情報が４：３では、光源ユニット列５１ａ、５１ｆが消灯され、残りの光源ユニット列５１ｂ、５１ｃ、５１ｄ、５１ｅは点灯される。縦横比情報が１６：９では、全ての光源ユニット列が点灯される。
光源ユニット列情報はバックライト５０を構成する光源ユニット列と対応するので、光源ユニット列の増減に対応して、バックライト５０の点消灯テーブルデータがもつ光源ユニット列情報も増減する。
【００２１】
光源制御部２２は情報取得部２１が取得した画像縦横比情報に対応した光源ユニット列の点消灯の情報を参照してバックライト５０を構成する光源ユニット列の点消灯を制御する。
次に図３を用いてバックライト５０と表示部４０との対応関係を説明する。すなわち図３はバックライト５０と表示部４０との対応関係を示す概略図である。
【００２２】
バックライト５０の光源ユニット列５１ａから光源ユニット列５１ｆまでの縦横比ｃ：ｂは液晶パネル４３の表示領域４３１と同じ縦横比である。また、バックライト５０の光源ユニット列５１ｂから光源ユニット列５１ｅまでの縦横比ａ：ｂは液晶パネル４３の表示領域４３２と同じ縦横比である。
表示領域４３１に画像が表示されるときにはバックライト５０の光源ユニット列５１ａから光源ユニット列５１ｆまでが点灯される。
【００２３】
表示領域４３２に画像が表示されるときにはバックライト５０の光源ユニット列５１ｂから光源ユニット列５１ｅまでが点灯され、光源ユニット列５１aと光源ユニット列５１fは消灯されることになる。
すなわち、光源ユニット列５１aと光源ユニット列５１bの境目、光源ユニット列５１eと光源ユニット列５１fの境目は、表示部４０の表示領域４３１と表示領域４３２との境目に対応するよう構成される。
【００２４】
このことにより各光源ユニット５１の光の供給領域を表示部４０の各表示領域４３１、４３２と対応させることができるので光の供給の不必要な領域に対する光源の光の供給を抑制することができる。
次に以上のように構成された液晶表示装置１の動作について説明する。
まず画像データ受信部１０が画像データを受信する。画像データ受信部１０は受信した画像データを画像表示制御部３０および画像データ処理部２０の情報取得部２１へと出力する。
【００２５】
画像表示制御部３０は、ゲートドライバ４１およびソースドライバ４２を駆動して液晶パネル４３に画像を表示させる。
一方、画像データが出力された情報取得部２１は、画像データにあらかじめ付加されている画像縦横比情報を取得する。
情報取得部２１は光源制御部２２へ取得した画像縦横比情報を出力する。
【００２６】
光源制御部２２は、情報取得部２１によって出力された画像縦横比情報に基づいてメモリ２３に記憶されたバックライト５０の点消灯テーブルデータを参照して各光源ユニット列の点消灯制御を行う。
すなわち、表示部４０に表示される画像が４：３ならば光源ユニット列５１ｂから光源ユニット列５１ｅまでが点灯される。光源ユニット列５１ａおよび光源ユニット列５１ｆは消灯される。
【００２７】
光源ユニット列５１ｂから光源ユニット列５１ｅの点灯は、実質的には同時に行われる。このことを踏まえれば、光源ユニット列５１ｂから光源ユニット列５１ｅを一つの光源ユニットとして構成しても差し支えない。つまり、バックライト５０は、光源ユニット列５１ｂから光源ユニット列５１ｅまでを一つとした光源ユニットと、光源ユニット列５１ａと、光源ユニット列５１ｆで構成することもできる。
【００２８】
液晶パネルに表示される画像が１６：９ならば光源ユニット列５１ａから光源ユニット列５１ｆまでが点灯される。
以上説明したようにこの液晶表示装置１では、バックライト５０の点消灯を複数の光源ユニット列毎に制御できるので種々の縦横比を持つ画像データに対応する光源ユニット５１の光の供給を容易に制御することができる。
【００２９】
したがって画像の表示が行われない表示領域に対する光源ユニット５１の点灯を制御することで光の供給を抑制し無駄に電力を消費することがない。なお、表示部４０の表示領域４３１の縦横比を１６：９として説明したがこれに限定されることなく例えば２：１や４：３、１６：１０などであってもよい。
また表示領域４３２の縦横比を４：３として説明したが、第１の表示領域に含まれていればこれに限定されることなく例えば２：１や１６：９、であってもよい。もちろんこれに伴いバックライト５０もそれぞれの表示領域に対応して構成される。
【００３０】
以上の説明では受信した画像データを表示する際にはまず表示部４０に画像を表示させることから開始しているがもちろんこれに限定されることなくバックライト５０の制御から開始しても良いし、実質的にはこれらは同時に制御されるものである。
（その他の実施形態）
【００３１】
本発明は上記実施の形態のみに限定されるものではなく、変形が可能である。
例えば図４に示すようにバックライト５０は複数の光源ユニット５１を横に並べて配置したものを一つのグループとし、それを縦に数列並べて構成することもできる。
この場合、バックライト５０は光源ユニット列５１ｇ、５１ｈ、５１ｉ、５１ｊから構成されている。
【００３２】
もちろんメモリ２３に記憶されるバックライト５０の点消灯テーブルデータはこれに対応する。このように構成されたバックライト５０は、第１の表示領域４３１がａ：ｂ、第２の表示領域４３２がａ：ｃで構成された表示部４０の裏面に配置される。
すなわち、第２の表示領域４３２の横幅と第１の表示領域４３１の横幅が同じで、かつ第２の表示領域４３２の縦幅が第１の表示領域４３１の縦幅に比べて上下に縮小しているような表示部４０の裏面に配置される。
【００３３】
このようなバックライト５０および表示部４０で構成された液晶表示装置１では、表示領域４３２に画像を表示する際は、バックライト５０の光源ユニット列５１ｆおよび５１ｇが点灯され、光源ユニット列５１ｅ、５１ｈは消灯される。
もちろん、表示領域４３１に画像を表示するときには全ての光源ユニット列が点灯される。
【図面の簡単な説明】
【００３４】
【図１】本発明の一形態にかかる実施の形態の液晶表示装置の構成を示すブロック図。
【図２】バックライトの点消灯テーブルデータを示す概念図。
【図３】表示部とバックライトとの対応を示す概略図。
【図４】本発明の他の実施の形態にかかる表示部とバックライトとの対応を示す概略図。
【符号の説明】
【００３５】
１…液晶表示装置、１０…画像データ受信部、２０…画像データ処理部、２１…情報取得部、２２…光源制御部、２３…メモリ、３０…画像表示制御部、４０…表示部、４１…ゲートドライバ、４２…ソースドライバ、４３…液晶パネル、４３１…第１の表示領域、４３２…第２の表示領域、５０…バックライト、５１…光源ユニット、５１ａ，５１ｂ，５１ｃ，５１ｄ，５１ｅ，５１ｆ，５１ｇ，５１ｈ，５１ｉ，５１ｊ…光源ユニット列。
【図１】
2008158294.tif 000003
【図２】
2008158294.tif 000004
【図３】
2008158294.tif 000005
【図４】
2008158294.tif 000006